(57)【要約】【課題】ハウジングを蓄電池に組み付ける前の状態において、温度センサのハウジングからの脱落を抑制できる電池配線モジュールを提供する。【解決手段】電池配線モジュール１０の温度センサ３０は、ハウジング１１と蓄電池ＢＴとの間に配置された状態でハウジング１１と接触するばね部と、該ばね部がハウジング１１を押圧する反作用によって蓄電池ＢＴに押し付けられる温度検出面とを有する。そして、ハウジング１１において、蓄電池ＢＴへの組付状態で該蓄電池ＢＴと対向する側をハウジング１１の下面側とし、その反対側を上面側として、ハウジング１１は、温度センサ３０を仮保持するための仮保持部４０を該ハウジング１１の上面側に備えている。【選択図】図１
2020035612.tif 000002
【特許請求の範囲】
【請求項１】
蓄電池の一側面に組み付けられるハウジングと、
前記ハウジングに収容され、前記蓄電池と電気的に接続される端子と、
前記端子と接続され、前記ハウジングに収容された電線と、
前記ハウジングが前記蓄電池に組み付けられた組付状態において前記ハウジングと前記蓄電池との間に配置され、該組付状態で前記ハウジングと接触するばね部、及び該ばね部が前記ハウジングを押圧する反作用によって前記蓄電池に押し付けられる温度検出面を有する温度センサと
を備えた電池配線モジュールであって、
前記ハウジングにおいて、前記組付状態で前記蓄電池と対向する側を前記ハウジングの下面側とし、その反対側を上面側として、
前記ハウジングは、前記温度センサを仮保持するための仮保持部を該ハウジングの上面側に備えている、電池配線モジュール。
【請求項２】
前記ハウジングは、前記端子を収容する端子収容部と、前記電線を収容する電線収容部とを備え、
前記端子収容部は、前記ハウジングの長手方向に沿って複数並び、その長手方向に並ぶ端子収容部の列が２列で構成され、
前記電線収容部は、前記ハウジングの長手方向に沿って延びる形状をなし、前記端子収容部の各列の内側にそれぞれ隣接するように一対設けられ、
前記仮保持部は、一対の前記電線収容部の間に設けられている、請求項１に記載の電池配線モジュール。
【発明の詳細な説明】
【技術分野】
【０００１】
本発明は、電池配線モジュールに関するものである。
【背景技術】
【０００２】
例えば特許文献１に開示されるように、電気自動車やハイブリッド自動車などの車両において、走行駆動用の電源として搭載される高圧の蓄電池には、電池配線モジュールが装着されている。特許文献１の電池配線モジュールは、蓄電池の上面に組み付けられるハウジングと、該ハウジングに収容され、蓄電池と電気的に接続される端子と、該端子と接続されハウジングに収容された電線とを備えている。また、同電池配線モジュールは、蓄電池の温度を検出するための温度センサを備えている。この温度センサは、ハウジングが蓄電池に組み付けられた組付状態において、ハウジングと蓄電池との間に配置される。そして、温度センサは、ハウジングと蓄電池との間に配置された状態でハウジングと接触するばね部を有し、該ばね部がハウジングを押圧する反作用によって温度検出面が蓄電池に押し付けられるようになっている。これにより、蓄電池の温度検出の高精度化を図っている。
【先行技術文献】
【特許文献】
【０００３】
【特許文献１】特開２０１４−８９９１２号公報
【発明の概要】
【発明が解決しようとする課題】
【０００４】
上記のような電池配線モジュールの温度センサは、電池配線モジュールのハウジングと蓄電池とに挟まれることで所定の位置に保持されるようになっている。このため、温度センサ付きの電池配線モジュールを蓄電池に組み付ける前の状態では、温度センサをハウジングと蓄電池とで挟んで保持することができず、電池配線モジュールの運搬時などにおいて温度センサがハウジングから脱落するおそれがあった。
【０００５】
本発明は、上記課題を解決するためになされたものであって、その目的は、ハウジングを蓄電池に組み付ける前の状態において、温度センサのハウジングからの脱落を抑制できる電池配線モジュールを提供することにある。
【課題を解決するための手段】
【０００６】
上記課題を解決する電池配線モジュールは、蓄電池の一側面に組み付けられるハウジングと、前記ハウジングに収容され、前記蓄電池と電気的に接続される端子と、前記端子と接続され、前記ハウジングに収容された電線と、前記ハウジングが前記蓄電池に組み付けられた組付状態において前記ハウジングと前記蓄電池との間に配置され、該組付状態で前記ハウジングと接触するばね部、及び該ばね部が前記ハウジングを押圧する反作用によって前記蓄電池に押し付けられる温度検出面を有する温度センサとを備えた電池配線モジュールであって、前記ハウジングにおいて、前記組付状態で前記蓄電池と対向する側を前記ハウジングの下面側とし、その反対側を上面側として、前記ハウジングは、前記温度センサを仮保持するための仮保持部を該ハウジングの上面側に備えている。
【０００７】
上記態様によれば、温度センサ付きの電池配線モジュールを蓄電池に組み付ける前の状態において、温度センサをハウジングの仮保持部に保持させることができるため、温度センサのハウジングからの脱落を抑制できる。また、仮保持部はハウジングの上面側に設けられるため、温度センサを仮保持部で保持した状態のハウジングを蓄電池に組み付けた後、温度センサを仮保持部から取り外してハウジングと蓄電池との間の本保持位置に装着することが可能となる。
【０００８】
上記電池配線モジュールにおいて、前記ハウジングは、前記端子を収容する端子収容部と、前記電線を収容する電線収容部とを備え、前記端子収容部は、前記ハウジングの長手方向に沿って複数並び、その長手方向に並ぶ端子収容部の列が２列で構成され、前記電線収容部は、前記ハウジングの長手方向に沿って延びる形状をなし、前記端子収容部の各列の内側にそれぞれ隣接するように一対設けられ、前記仮保持部は、一対の前記電線収容部の間に設けられている。
【０００９】
上記態様によれば、ハウジングに端子収容部の列と電線収容部とを形成しつつ、仮保持部を形成することができる。
【発明の効果】
【００１０】
本発明の電池配線モジュールによれば、ハウジングを蓄電池に組み付ける前の状態において、温度センサのハウジングからの脱落を抑制できる。
【図面の簡単な説明】
【００１１】
【図１】実施形態の電池配線モジュールの斜視図。
【図２】同形態の仮保持部に固定された温度センサを示す斜視図。
【図３】同形態の温度センサ及び仮保持部の斜視図。
【図４】同形態の仮保持部の平面図。
【図５】変更例の温度センサ及び仮保持部の斜視図。
【図６】同変更例の仮保持部に固定された温度センサを示す斜視図。
【図７】変更例の温度センサ及び仮保持部の斜視図。
【図８】同変更例の仮保持部に固定された温度センサを示す斜視図。
【図９】変更例の仮保持部に固定された温度センサを示す斜視図。
【図１０】変更例の仮保持部に固定された温度センサを示す斜視図。
【発明を実施するための形態】
【００１２】
以下、電池配線モジュールの一実施形態について図面を参照して説明する。なお、図面中のＸＹＺ軸におけるＸ軸は、電池配線モジュール１０の長手方向を表し、Ｙ軸はＸ軸と直交する同電池配線モジュール１０の幅方向を表し、Ｚ軸はＸＹ平面に対して直交する同電池配線モジュール１０の上下方向を表している。図面では、説明の便宜上、構成の一部を誇張又は簡略化して示す場合がある。また、各部分の寸法比率についても、実際と異なる場合がある。
【００１３】
図１に示すように、電池配線モジュール１０は、略直方体状の蓄電池ＢＴの上面に装着されている。蓄電池ＢＴは、電気自動車やハイブリッド自動車等に搭載されるものであり、車両の走行用モータに電力を供給する。また、蓄電池ＢＴは、充電状態や車両の運転状態に応じて、走行用モータや発電用モータからの電力の供給を受ける。
【００１４】
蓄電池ＢＴは、Ｘ軸方向に並ぶ複数の電池セルＣから構成されている。各電池セルＣは略直方体状をなし、平面視（Ｚ軸方向視）においては電池配線モジュール１０の幅方向（Ｙ軸方向）に長い形状をなしている。各電池セルＣは、その上面においてプラスとマイナスの一対の電池端子を有し、Ｘ軸方向に隣り合う電池セルＣの電池端子同士が互いに異極とされ、それら異極の端子同士がバスバーＢを介して接続されることで、各電池セルＣが直列接続されている。
【００１５】
図１に示すように、電池配線モジュール１０は、蓄電池ＢＴの上に組み付けられるハウジング１１と、ハウジング１１に収容された複数の端子１２と、端子１２の各々に接続された複数の電線１３とを備えている。なお、図１では、各電線１３を簡略化して示している。
【００１６】
ハウジング１１は、例えば合成樹脂などの絶縁体で構成される。ハウジング１１は、電池セルＣの並び方向であるＸ軸方向の寸法が、Ｙ軸方向（幅方向）の寸法よりも長い形状をなしている。ハウジング１１は、ＸＹ平面と平行をなす扁平板状のベース部２１と、ベース部２１から上方に延びる複数の壁部とを有している。ハウジング１１には、複数の端子１２をそれぞれ収容する複数の端子収容部２２と、電線１３を収容する電線収容部２３とが前記複数の壁部によって形成されている。端子収容部２２に収容された複数の端子１２の各々は、対応するバスバーＢに対し溶接などによって接続されている。
【００１７】
各端子収容部２２はＸ軸方向に沿って並んで設けられ、そのＸ軸方向に並ぶ列が２列で構成されている。そして、端子収容部２２の各列のＹ軸方向の中央側には、Ｘ軸方向に沿って延在する電線収容部２３がそれぞれ形成されている。各電線収容部２３はＹ軸方向において互いに所定距離を空けて設けられている。
【００１８】
ハウジング１１において、各電線収容部２３のＹ軸方向の間の中間部２４は、電池セルＣの防爆弁（図示略）とＺ軸方向に対向している。中間部２４は、前記防爆弁から放出されるガスをスムーズに外部に導出できるように、該防爆弁に対してＺ軸方向に所定の間隔を空けて対向している。
【００１９】
各端子１２に接続された各電線１３は電線収容部２３内に配線され、ハウジング１１のＸ軸方向の一端部側又は他端部側から導出される。そして、ハウジング１１から導出された電線１３は図示しない電池監視ＥＣＵと接続され、該電池監視ＥＣＵは電線１３から出力される信号を基に各電池セルＣの電圧を監視する。
【００２０】
電池配線モジュール１０は、検出対象となる電池セルＣの温度を測定するための温度センサ３０を備えている。本実施形態では、３つの電池セルＣが検出対象とされ、それに対応して温度センサ３０が３つ用意されている。
【００２１】
ハウジング１１の中間部２４には、３つの温度センサ３０をそれぞれ仮保持するための３つの仮保持部４０が形成されている。ハウジング１１において、蓄電池ＢＴへの組付状態で蓄電池ＢＴと対向する側をハウジング１１の下面側とし、その反対側を上面側として、仮保持部４０はハウジング１１の上面側に設けられている。すなわち、ハウジング１１の上面側から、温度センサ３０の仮保持部４０への着脱が可能となっている。なお、仮保持部４０は、ハウジング１１を蓄電池ＢＴに組み付けた状態において、電池セルＣの前記防爆弁に対してＺ軸方向に所定の間隔を空けて対向している。
【００２２】
ハウジング１１を蓄電池ＢＴに組み付ける前の状態では、各温度センサ３０を各仮保持部４０に固定した状態とする。そして、ハウジング１１を蓄電池ＢＴに組み付けた後、ハウジング１１のベース部２１に形成されたセンサ挿入口２１ａを通じて、温度センサ３０をハウジング１１と電池セルＣの上面との間の本保持位置に配置する。なお、図１及び図２は、温度センサ３０が仮保持部４０に固定された状態を示している。
【００２３】
図２及び図３に示すように、温度センサ３０は、ケース３１と、ケース３１に固定されたばね部３２と、ケース３１に収容された温度検出素子（図示略）とを備えている。ばね部３２は、ハウジング１１と電池セルＣとの間（本保持位置）に配置された状態において、ハウジング１１に対して弾性的に接触する。また、温度センサ３０は、ハウジング１１と電池セルＣとの間（本保持位置）に配置された状態で電池セルＣの上面と接触する温度検出面３３（図２中の下面）を有している。温度検出面３３は、ばね部３２がハウジング１１を押圧する反作用によって電池セルＣの上面に押し付けられるようになっている。
【００２４】
温度センサ３０のケース３１は、仮保持部４０にＸ軸方向に係止される第１係止部３４を有している。温度センサ３０が仮保持部４０に固定された状態の向きにおいて、仮保持部４０は、ケース３１のＹ軸方向の両側面からＹ軸方向にそれぞれ突出している（図４参照）。
【００２５】
また、温度センサ３０のケース３１には、仮保持部４０や前記本保持位置への温度センサ３０の組付作業時に作業者が温度センサ３０を把持するための把持部３５が形成されている。把持部３５は、仮保持部４０への組付状態でＸ軸方向に延びている。また、ケース３１は、ハウジング１１と電池セルＣとの間（本保持位置）に配置された状態においてハウジング１１にＸ軸方向に係止される第２係止部３６を有している。
【００２６】
また、温度センサ３０は、ケース３１内の前記温度検出素子と接続された信号線３７を有している（図２参照）。信号線３７は、温度センサ３０が仮保持部４０に固定された状態の向きにおいて、ケース３１からＸ軸方向に導出されている。
【００２７】
図３及び図４に示すように、仮保持部４０は、中間部２４と各電線収容部２３とを隔てる一対の壁部４１のＹ軸方向の間に形成されている。各壁部４１はＹ軸方向に対して垂直な平板状をなしている。また、各壁部４１は、各電線収容部２３のＹ軸方向の一側壁を構成している。
【００２８】
中間部２４は、各壁部４１を連結する天井壁４２を有している。天井壁４２には、Ｚ軸方向に貫通する開口部４２ａが形成され、該開口部４２ａとＺ軸方向に重なる位置に仮保持部４０が形成されている。開口部４２ａ内には、各壁部４１に跨る支持部４３が形成されている。支持部４３は、各壁部４１を連結するようにＹ軸方向に沿って延在している。支持部４３は仮保持部４０を支持している。
【００２９】
仮保持部４０は、平面視（Ｚ軸方向視）でコ字状をなしている。詳しくは、仮保持部４０は、Ｘ軸方向に延在する一対の腕部４４を有している。各腕部４４はＹ軸方向において互いに対向している。また、仮保持部４０は、各腕部４４の基端部（Ｘ軸方向一端部であって、図４の右側端部）同士を繋ぐ連結部４５を有している。連結部４５は、温度センサ３０の把持部３５と干渉しないようにＺ軸方向の下方に窪むように形成されている。
【００３０】
各腕部４４はＸ軸方向の中間部位で支持部４３と繋がっている。つまり、各腕部４４の先端部及び基端部は、支持部４３のＸ軸方向両側にそれぞれ位置している。各腕部４４の先端部（Ｘ軸方向における連結部４５とは反対側の端部）には、温度センサ３０の第１係止部３４に係止される係止爪４４ａが形成されている。係止爪４４ａは、腕部４４の先端部の下面側に形成されている。
【００３１】
温度センサ３０を仮保持部４０に固定する際には、Ｘ軸方向の一方（組付方向Ｄ１）に沿って温度センサ３０のケース３１を仮保持部４０の各腕部４４の間に挿入する。このとき、ケース３１から突出する各第１係止部３４が、各腕部４４の係止爪４４ａと当接して各腕部４４の先端部を上方に押し上げた後、腕部４４の弾性復帰によって各係止爪４４ａが各第１係止部３４に係止される。このように各第１係止部３４が各係止爪４４ａに係止されることで、温度センサ３０が組付方向Ｄ１の反対方向に抜けないようになっている。また、温度センサ３０の仮保持部４０への固定状態において、各第１係止部３４とＸ軸方向に対向する支持部４３が、温度センサ３０（ケース３１）の組付方向Ｄ１への移動を規制している。
【００３２】
各腕部４４の基端部上面には押面４６が形成されている。押面４６は、腕部４４の先端部の上面よりも上方に位置している。
温度センサ３０を仮保持部４０から取り外す際には、仮保持部４０の押面４６を下方に押し込む。すると、各腕部４４が支持部４３との連結部位を支持点として、各腕部４４の先端部（係止爪４４ａ）が上方に移動するように回動する。これにより、各係止爪４４ａと温度センサ３０の各第１係止部３４との係止が外れて、温度センサ３０をＸ軸方向に沿った方向（組付方向Ｄ１とは反対方向であって、図４中、取り外し方向Ｄ２）に取り外すことが可能となっている。
【００３３】
また、図２に示すように、本実施形態の中間部２４には、仮保持部４０に固定された温度センサ３０の信号線３７を一方の電線収容部２３に案内するための案内面４７が形成されている。案内面４７は仮保持部４０とＸ軸方向に対向している。そして、案内面４７は、信号線３７を収容する電線収容部２３に対してＹ軸方向に近づくほど仮保持部４０から離間するように傾斜している。
【００３４】
また、中間部２４は、仮保持部４０に固定された温度センサ３０の温度検出面３３とＺ軸方向に当接する支持面４８を有している。図３及び図４に示すように、支持面４８のＹ軸方向の中央部は、支持部４３まで延びて該支持部４３と直接繋がっている。これにより、温度センサ３０が仮保持部４０に固定された状態（各第１係止部３４が各係止爪４４ａに係止された状態）において、温度センサ３０のケース３１の略全体が支持面４８に載置されるように構成され、温度センサ３０の安定した仮保持が可能となっている。
【００３５】
次に、電池配線モジュール１０の蓄電池ＢＴへの組付態様について、本実施形態の作用と共に説明する。
ハウジング１１を蓄電池ＢＴに組み付ける前の状態において、各端子収容部２２に端子１２を収容し、各端子１２に接続された電線１３を電線収容部２３に収容する。また、温度センサ３０を仮保持部４０に上記態様で固定し、温度センサ３０の信号線３７を案内面４７に沿わせつつ電線収容部２３に導出する。なお、電線収容部２３内に配線された信号線３７は、ハウジング１１のＸ軸方向の一端部側又は他端部側から導出される。
【００３６】
次に、ハウジング１１を蓄電池ＢＴの上面に組み付ける。ここで、バスバーＢと端子１２と接続し、バスバーＢと蓄電池ＢＴ（電池セルＣ）の電極端子とを接続する。
その後、温度センサ３０をハウジング１１の仮保持部４０から取り外す。そして、温度センサ３０を、ハウジング１１のセンサ挿入口２１ａを通じて、ハウジング１１と蓄電池ＢＴとの間に挿入して本保持位置で保持させる。
【００３７】
本実施形態の効果について説明する。
（１）ハウジング１１は、温度センサ３０を仮保持するための仮保持部４０を該ハウジング１１の上面側（蓄電池ＢＴと対向する面の反対側）に備える。この態様によれば、温度センサ３０付きの電池配線モジュール１０を蓄電池ＢＴに組み付ける前の状態において、温度センサ３０をハウジング１１の仮保持部４０に保持させることができるため、温度センサ３０のハウジング１１からの脱落を抑制できる。また、仮保持部４０はハウジング１１の上面側に設けられるため、温度センサ３０を仮保持部４０で保持した状態のハウジング１１を蓄電池ＢＴに組み付けた後、温度センサ３０を仮保持部４０から取り外してハウジング１１と蓄電池ＢＴとの間の本保持位置に装着することが可能となる。
【００３８】
（２）ハウジング１１は、端子１２を収容する端子収容部２２と、電線１３を収容する電線収容部２３とを備える。端子収容部２２は、ハウジング１１の長手方向（Ｘ軸方向）に沿って複数並び、その長手方向に並ぶ端子収容部２２の列が２列で構成される。電線収容部２３は、ハウジング１１の長手方向に沿って延びる形状をなし、端子収容部２２の各列の内側にそれぞれ隣接するように一対設けられる。そして、仮保持部４０は、一対の電線収容部２３の間に設けられる。この態様によれば、ハウジング１１に端子収容部２２の列と電線収容部２３とを形成しつつ、仮保持部４０を形成することができる。
【００３９】
（３）ハウジング１１において、一対の電線収容部２３の間に形成された中間部２４は蓄電池ＢＴ（電池セルＣ）の防爆弁とＺ軸方向に間隔を空けて対向しており、該中間部２４に仮保持部４０が形成される。ここで、仮に、端子収容部２２及び電線収容部２３を防爆弁の上方に配置したレイアウトを考えると、端子収容部２２及び電線収容部２３が防爆弁のガス排出の妨げになりうるため、端子収容部２２及び電線収容部２３は防爆弁と重ならない配置とすることが望ましい。そして、端子収容部２２及び電線収容部２３が防爆弁と重ならない配置としたときに、防爆弁のガス排出の妨げとならない中間部２４が生じ、その中間部２４はデッドスペースになりうるが、中間部２４に仮保持部４０を形成することで、ハウジング１１の大型化を抑えながら仮保持部４０を構成できる。
【００４０】
（４）腕部４４の基端部上面に設けられた押面４６は、係止爪４４ａが設けられた腕部４４の先端部の上面よりも上方に位置している。これにより、温度センサ３０を仮保持部４０に仮保持させた状態で、押面４６を上方から押し込みやすく、温度センサ３０の仮保持部４０からの取り外しが容易となる。
【００４１】
本実施形態は、以下のように変更して実施することができる。本実施形態及び以下の変更例は、技術的に矛盾しない範囲で互いに組み合わせて実施することができる。
・温度センサ３０を仮保持するための仮保持部の構成は、上記実施形態の仮保持部４０に限定されるものではなく、適宜変更してもよい。
【００４２】
（変更例１）
例えば、図５及び図６に示す仮保持部５０としてもよい。仮保持部５０は、上記実施形態の仮保持部４０と同様に、ハウジング１１の中間部２４に形成されている。仮保持部５０は、センサ収容部５１と、センサ収容部５１内に形成された一対の係止部５２と、温度センサ３０のＹ軸方向への抜け止めのための規制壁部５３とを備えている。なお、規制壁部５３の上端部には、温度センサ３０のケース３１から導出される信号線３７（上記実施形態を参照）を電線収容部２３へ導出するための導出口５４が切欠形成されている。すなわち、温度センサ３０が仮保持部５０に仮保持された状態において、該温度センサ３０の信号線３７は導出口５４を通って電線収容部２３へと配索される。
【００４３】
一対の係止部５２は、ハウジング１１のベース部２１から上方に延びるとともに、Ｘ軸方向に互いに対向している。各係止部５２は、互いの対向方向に突出する係止爪５２ａを有している。温度センサ３０を仮保持部５０に固定する際には、温度センサ３０のケース３１をセンサ収容部５１に対してＺ軸方向の下方に挿入することで、各係止爪５２ａをケース３１の上面に係止させることが可能となっている（図６参照）。
【００４４】
なお、図５及び図６に示す例の温度センサ３０は、上記実施形態の温度センサ３０から第１係止部３４を省略した構成となっている。また、同例では、ケース３１から導出される信号線３７（上記実施形態を参照）の導出方向がＹ軸方向と平行となる向きで、温度センサ３０が仮保持部５０に固定される。温度センサ３０が仮保持部５０に固定された状態では、規制壁部５３がＹ軸方向の一方への抜け止めとなり、その反対方向については一方の壁部４１が抜け止めとなる。また、温度センサ３０を仮保持部５０から取り外す際には、各係止部５２を互いに離間する方向に押し広げることで、温度センサ３０をセンサ収容部５１から抜き出すことが可能となっている。
【００４５】
上記の図５及び図６に示す構成においても、ハウジング１１は、温度センサ３０を仮保持するための仮保持部５０を該ハウジング１１の上面側（蓄電池ＢＴと対向する面の反対側）に備える。これにより、上記実施形態と同様の効果を得ることができる。
【００４６】
（変更例２）
また、例えば、図７及び図８に示す仮保持部６０としてもよい。同例では、温度センサ３０の構成、及び、仮保持部６０に固定された温度センサ３０の向きが、上記の図５及び図６に示す例（変更例１）と同様である。
【００４７】
仮保持部６０は、上記実施形態の仮保持部４０と同様に、ハウジング１１の中間部２４に形成されている。仮保持部６０は、センサ収容部６１と、センサ収容部６１内に形成された一対の挟持部６２とを備えている。センサ収容部６１は、Ｘ軸方向に対向する一対の側壁部６３と、該一対の側壁部６３を繋ぐ一方の壁部４１とから構成されている。
【００４８】
一対の挟持部６２は、一対の側壁部６３からそれぞれ延出形成されている。各挟持部６２は、側壁部６３の上端からＸ軸方向の内側（センサ収容部６１の内部側）に延びるとともに、内側端部で下方に屈曲している。
【００４９】
温度センサ３０を仮保持部６０に固定する際には、温度センサ３０のケース３１をセンサ収容部６１に対してＺ軸方向の下方に挿入することで、各挟持部６２によってケース３１をＸ軸方向に弾性的に挟持させることができる。また、仮保持部６０に固定された温度センサ３０を上方に引っ張ることで、温度センサ３０を仮保持部６０から取り外すことができる。
【００５０】
上記の図７及び図８に示す構成においても、ハウジング１１は、温度センサ３０を仮保持するための仮保持部６０を該ハウジング１１の上面側（蓄電池ＢＴと対向する面の反対側）に備える。これにより、上記実施形態と同様の効果を得ることができる。
【００５１】
（変更例３）
また、例えば、図９に示す仮保持部７０としてもよい。同例では、温度センサ３０の構成、及び、仮保持部７０に固定された温度センサ３０の向きが、上記の変更例１及び２と同様である。
【００５２】
仮保持部７０は、ハウジング１１の中間部２４に形成されたセンサ収容部７１を有している。また、同例では、ハウジング１１における少なくとも電線収容部２３の上方を覆うカバー７２が設けられている。カバー７２は、ハウジング１１に対して着脱可能に構成されている。なお、カバー７２は、ハウジング１１と別体のものであっても、ハウジング１１に一体に形成されるものであってもどちらでもよい。
【００５３】
仮保持部７０は、カバー７２に一体形成されたセンサ押さえ部７３を有している。センサ押さえ部７３は、カバー７２の本体部（電線収容部２３を覆う部位）から中間部２４側に延びるように形成されている。センサ押さえ部７３は、センサ収容部７１に収容された温度センサ３０の上方に位置しており、温度センサ３０をセンサ収容部７１内に保持する。なお、カバー７２には、センサ収容部７１に収容された温度センサ３０の把持部３５との干渉を避けるための開口７４が形成されている。
【００５４】
温度センサ３０を仮保持部７０に固定する際には、温度センサ３０をセンサ収容部７１に収容した後、カバー７２をハウジング１１に装着することで、温度センサ３０がセンサ収容部７１内に保持されるようになっている。また、温度センサ３０を仮保持部７０から取り外す際には、カバー７２を外すことで温度センサ３０をセンサ収容部７１から取り出し可能となっている。
【００５５】
上記の図９に示す構成においても、ハウジング１１は、温度センサ３０を仮保持するための仮保持部７０を該ハウジング１１の上面側（蓄電池ＢＴと対向する面の反対側）に備える。これにより、上記実施形態と同様の効果を得ることができる。
【００５６】
なお、図９に示す例（変更例３）では、センサ押さえ部７３が電線収容部２３を覆うカバー７２に一体形成されたが、これに限らず、例えば図１０に示すように、カバー７２とは別体のセンサ押さえ部７３を設けてもよい。図１０に示す例では、センサ収容部７１は、Ｘ軸方向に対向する一対の側壁部７５と、該一対の側壁部７５を繋ぐ一方の壁部４１とから構成されている。センサ押さえ部７３は、一方の側壁部７５の上端部に、ヒンジ部７６を介して一体形成されている。センサ押さえ部７３は、ヒンジ部７６を回動軸として回動可能に構成されている。また、他方の側壁部７５（ヒンジ部７６が形成された側壁部７５と対向する側壁部７５）には、センサ収容部７１の上方の一部を覆う閉状態とされたセンサ押さえ部７３と係止する係止部７７が形成されている。
【００５７】
温度センサ３０を仮保持部７０に固定する際には、センサ押さえ部７３を開状態として温度センサ３０をセンサ収容部７１に収容した後、センサ押さえ部７３を回動させて前記閉状態とする。これにより、温度センサ３０がセンサ収容部７１内に保持されるようになっている。また、温度センサ３０を仮保持部７０から取り外す際には、センサ押さえ部７３と係止部７７との係止を外してセンサ押さえ部７３を開状態まで回動させることで、温度センサ３０をセンサ収容部７１から取り出し可能となっている。
【００５８】
・上記実施形態及び上記各変更例では、仮保持部４０，５０，６０，７０をハウジング１１の中間部２４に設けたが、ハウジング１１における中間部２４以外の部位に設けてもよい。
【００５９】
・温度センサ３０の数及び配置位置（仮保持位置及び本保持位置）は上記実施形態に限定されるものではなく、蓄電池ＢＴの構成などに応じて適宜変更可能である。
【符号の説明】
【００６０】
ＢＴ…蓄電池
１０…電池配線モジュール
１１…ハウジング
１２…端子
１３…電線
２２…端子収容部
２３…電線収容部
３０…温度センサ
３２…ばね部
３３…温度検出面
４０，５０，６０，７０…仮保持部
【図１】
2020035612.tif 000003
【図２】
2020035612.tif 000004
【図３】
2020035612.tif 000005
【図４】
2020035612.tif 000006
【図５】
2020035612.tif 000007
【図６】
2020035612.tif 000008
【図７】
2020035612.tif 000009
【図８】
2020035612.tif 000010
【図９】
2020035612.tif 000011
【図１０】
2020035612.tif 000012